(57)【特許請求の範囲】
【請求項１】
バッグの口部からバッグ内部に挿入された温度センサーを保持するための保持具であって、
温度センサーを導入するための中空部を有し、バッグの内部から、その先端部がバッグの口部に挿入される本体と、
前記本体の、バッグの前記口部に挿入される先端部と反対の側に形成された、温度センサーの先端部を固定するための固定具とを有し、
前記固定具は、前記本体の前記先端部をバッグの前記口部に挿入した状態で、前記固定具が前記口部に当接しないように、前記先端部から離れた位置に形成され、かつ、前記本体よりも径が大きく形成されていることを特徴とする温度センサー保持具。
【請求項２】
前記本体の断面形状が円であることを特徴とする請求項１記載の温度センサー保持具。
【請求項３】
前記中空部の先端が徐々に狭くなっていることを特徴とする請求項１又は請求項２記載の温度センサー保持具。
【請求項４】
前記中空部の側面に複数の孔を有することを特徴とする請求項１から請求項３のいずれか１項に記載の温度センサー保持具。
【請求項５】
前記固定具は、厚みのある円形状であることを特徴とする請求項１から請求項４のいずれか１項に記載の温度センサー保持具。
【請求項６】
バッグの内部から、バッグの口部に請求項１記載の保持具を挿入し、バッグ内部に液体を満たし、バッグの口部から温度センサーをバッグ内部に挿入することによって、バッグ内部の液体の温度をモニターすることを特徴とするバッグ内部の液体の温度を測定する方法。
【請求項７】
バッグの内部から、バッグの口部に請求項１記載の保持具を挿入し、バッグの口部から温度センサーをバッグ内部に挿入し、バッグ内部に液体を満たすことによって、バッグ内部の液体の温度をモニターすることを特徴とするバッグ内部の液体の温度を測定する方法。
【発明の詳細な説明】
【０００１】
【発明の属する技術分野】
本発明は、バッグの口部からバッグ内部に挿入された温度センサーを保持するための保持具に関するものである。
【０００２】
【従来の技術】
輸液などの液状内容物を収容したバッグを、温水で減菌処理するときに、バッグの液状内容物の温度をモニターする必要がある。
減菌処理時には、通常、減菌処理するバッグとともに、温度モニター用のバッグを１つ置き、その中に温度センサーを挿入している。
温度センサーの挿入方法を詳しく説明すると、バッグの一部を切断し、中の液体を出し、バッグの両側面に小孔を開けて、切断部分から、温度センサーの先を導入する保持具を入れ、この保持具を設置してネジ止めする。切断部分からバッグに液状内容物を入れて切断部分を溶着し、温度センサーをバッグの口部から突っ込んで、その先を保持具の孔に挿入する。
【０００３】
図４は、温度センサー１１をバッグ１０の口部１４から突っ込んで、その先を保持具１２の孔１３に挿入した状態を示す側面図である。
図５は、保持具１２の分解斜視図であり、保持具１２の両端に雄ネジ１２ａが突出し、バッグを挟んで、シールリング１２ｂ，ナット１２ｃで止めるようになっている。
【０００４】
【発明が解決しようとする課題】
前述の方法では、バッグに孔を開けて保持具をネジ止めするので、液状内容物が孔から漏れ出て、液状内容物の温度が正確に測定できなくなるおそれがある。
また、温度センサーを軸に開いた孔に突っ込んで保持するようになっているが、この孔に挿入するのが困難である。
したがって、液状内容物が漏れることなく、確実かつ容易に温度センサーをセットすることができる保持具の構造が望まれている。
【０００５】
【課題を解決するための手段及び発明の効果】
(1)本発明の温度センサー保持具は、温度センサーを導入するための中空部を有し、バッグの内部から、その先端部がバッグの口部に挿入される本体と、前記本体の、バッグの前記口部に挿入される前記先端部と反対の側に形成された、温度センサーの先端部を固定するための固定具とを有し、前記固定具は、前記本体の前記先端部をバッグの前記口部に挿入した状態で、前記固定具が前記口部に当接しないように、前記先端部から離れた位置に形成され、かつ、前記本体よりも径が大きく形成されているものである（請求項１）。この構成の温度センサー保持具は、バッグの内部から、バッグの口部に挿入されることにより、バッグの側面に孔を開ける必要がないので、液漏れの心配なく、温度測定ができる。また、本体が中空状であり、それがガイドとなって温度センサーをその中に導入できる。また、本体中空部の、バッグの口部に挿入される部分と反対の側に、温度センサーの先端部を固定するための、本体中空部よりも径が大きい固定具が形成されているので、バッグを平面上に置いたときでも、バッグの両側面間の厚みが確保でき、その厚みの中に液体を導入することができる。よって、温度センサーによる温度測定精度を上げることができる。
【０００６】
本体の断面形状が円であれば、温度センサー保持具をバッグの口部に差込挿入しやすくなる。
本体中空部の先端が徐々に狭くなっていることが好ましい。これならば、中空部に導いた温度センサーの先端の位置決めがしやすくなる。
本体中空部の側面に複数の孔を有することが好ましい。バッグの中の液体が孔を通して自由に流通できるので、温度測定精度を上げることができるからである。
【０００７】
固定具は、厚みのある円形状、すなわち円板状であることが好ましい。円板状ならば、バッグの内面を傷つけにくいし、バッグの肩の切断部の長さが最小で済むからである。
【０００８】
(2)また、本発明のバッグ内部の液体の温度測定方法は、バッグの内部から、バッグの口部に請求項１記載の保持具を挿入し、バッグ内部に液体を満たし、バッグの口部から温度センサーをバッグ内部に挿入することによって、バッグ内部の液体の温度をモニターする方法である（請求項８）。
バッグ内部に液体を満たすのと、バッグの口部から温度センサーをバッグ内部に挿入するのと順序を入れ替えてもよい（請求項９）。
【０００９】
これらの方法発明によれば、液状内容物が漏れることなく、確実に温度センサーをセットし、温度測定をすることができる。
【００１０】
【発明の実施の形態】
以下、本発明の実施の形態を、添付図面を参照しながら詳細に説明する。
図１は、温度センサー保持具の外観を示す斜視図であり、図２は断面図である。
温度センサー保持具１は、テフロンのような硬質の樹脂からなり、本体中空円筒２とその一端につながって形成された大きな径の固定具３とを有している。固定具３の中心部には、中空円筒２の中空部２ａにつながる孔３ａが形成され、その孔３ａの先は、温度センサーの先を導くため徐々に細くなっている。
【００１１】
また、本体中空円筒２の側面には、輸液が自由に流通できるように、小さな孔２ｂが多数形成されている。
図３は、温度センサー保持具１を輸液バッグ４にセットした状態を示す要部断面図である。
輸液バッグ４の口部５は、ポリエチレン製で、円筒状になっており、その先にゴム６が取り付けられている。温度センサー保持具１は、輸液バックの内部から、口部５の円筒部分５ａに挿入される。
【００１２】
温度センサー７は、ステンレス管及びそれに挿入された熱電対で構成されている。温度センサー７は、前記ゴム６を貫通して温度センサー保持具１内部を通り、先端７ａが温度センサー保持具１の固定具３の孔３ａから出ている。
次に、前記温度センサー保持具１のセッティング方法を説明する。
輸液バッグ４の肩９を切断し、中の輸液を排出する。その切断部８から温度センサー保持具１を挿入し、本体中空円筒２の先端を、口部５の円筒部分５ａに挿入する。切断部８から輸液を再度満たして、切断部８を溶着する。次に、温度センサー７を口部５から差し込んで、先端が固定具３から少し出るようにする。
【００１３】
温度センサー７を口部５から差し込んでから、輸液を満たして、切断部８を溶着してもよい。
これで、温度モニター用のバッグ４が完成する。
この温度モニター用のバッグ４で減菌処理時、温度測定をすれば、測定中液が漏れ出ることはなく、正確に温度測定ができる。
以上で、本発明の実施の形態を説明したが、本発明の実施は、前記の形態に限定されるものではない。例えば、温度センサー保持具の構造として、本体が中空状でなく、中実体であってもよい。樹脂を高発泡させて気泡体を作り、この中に温度センサーを差し込むようにすればよい。
【００１４】
本体中空部の断面形状は、円形に限らず、四角形などどんな形状でもよい。ただし、口部５の円筒部分５ａの形状もこれに合わせる必要がある。
その他、本発明の範囲内で種々の変更を施すことが可能である。
【図面の簡単な説明】
【図１】温度センサー保持具の外観を示す斜視図である。
【図２】温度センサー保持具の断面図である。
【図３】温度センサー保持具１を輸液バッグ４にセットした状態を示す要部断面図である。
【図４】温度センサー１１をバッグ１０の口部１４から突っ込んで、その先を保持具１２に挿入した従来の使用状態を示す側面図である。
【図５】従来の保持具１２の分解斜視図である。
【符号の説明】
１  温度センサー保持具
２  本体中空円筒
２ａ  中空部
２ｂ  孔
３  固定具
３ａ  孔
４  輸液バッグ
５  口部
５ａ  円筒部分
６  ゴム
７  温度センサー
７ａ  温度センサーの先端
８  切断部
９  肩
【図１】
0004536885.tif 000002
【図２】
0004536885.tif 000003
【図３】
0004536885.tif 000004
【図４】
0004536885.tif 000005
【図５】
0004536885.tif 000006